(57)【要約】【課題】本発明は、ファクシミリ端末に関し、データを蓄積する外部装置にファクシミリデータと同一のデータを転送して、該データのバックアップを依頼可能なファクシミリ端末を提供することを目的とする。【解決手段】ファクシミリ装置１０に、ＰＣなどの外部装置とデータ通信可能に接続するインタフェース部１５を設けるとともに、コントローラ部１１が画像メモリ部１６内から送信するファクシミリデータと同一のデータを読み出して画像処理を施した後にインタフェース部１５を介して外部装置に送信する転送処理を行うように構成した。【選択図】図１
2006211729.tif 000002
【特許請求の範囲】
【請求項１】
画像または文字の一方あるいは双方からなる文書をファクシミリデータとして通信線を介して相手先にファクシミリ送信するファクシミリ端末であって、
データを蓄積する外部装置にデータ送信可能に接続する接続手段と、送信するファクシミリデータと同一のデータを接続装置を介して外部装置に任意のタイミングに転送する転送手段と、を備えることを特徴とするファクシミリ端末。
【請求項２】
前記転送データが、原稿から読み取った画像データ、または、文書作成アプリケーションを用いて作成した文書データであることを特徴とする請求項１に記載のファクシミリ端末。
【請求項３】
前記転送手段は、ファクシミリデータに添付されてファクシミリ送信される該ファクシミリデータについての取得情報を、前記転送データに付加して外部装置に転送することを特徴とする請求項１または２に記載のファクシミリ端末。
【請求項４】
前記転送手段は、ファクシミリデータをファクシミリ送信する際の通信情報を、前記転送データに付加して外部装置に転送することを特徴とする請求項１から３のいずれかに記載のファクシミリ端末。
【請求項５】
前記相手先の電話番号を登録する登録手段を有し、
前記転送手段は、該登録手段に登録されている相手先に送信するファクシミリデータの転送データを外部装置に転送することを特徴とする請求項１から４のいずれかに記載のファクシミリ端末。
【請求項６】
前記相手先の電話番号を登録する登録手段を有し、
前記転送手段は、該登録手段に登録されている相手先以外に送信するファクシミリデータの転送データを外部装置に転送することを特徴とする請求項１から４のいずれかに記載のファクシミリ端末。
【請求項７】
前記転送手段は、外部装置からの転送要求を受け取ったときに、ファクシミリデータの転送データを外部装置に転送することを特徴とする請求項１から６のいずれかに記載のファクシミリ端末。
【請求項８】
前記相手先にファクシミリ送信するデータを一時記憶するメモリを有し、
前記転送手段は、相手先へのファクシミリ送信が完了した後に、メモリ内に記憶した当該データを読み出して転送データを外部装置に転送することを特徴とする請求項１から７のいずれかに記載のファクシミリ端末。
【請求項９】
備える圧縮方式によりデータを圧縮変換する変換手段を有し、
該変換手段は、ファクシミリデータとして送信するデータを指定された圧縮方式により圧縮変換する一方、外部装置に転送する転送データを該外部装置で復元可能な圧縮方式により圧縮変換することを特徴とする請求項１から８のいずれかに記載のファクシミリ端末。
【請求項１０】
データの解像度を調整する調整手段を有し、
該調整手段は、ファクシミリデータとして送信するデータを指定された解像度に調整する一方、外部装置に転送する転送データを該外部装置で処理可能な解像度に調整することを特徴とする請求項１から９のいずれかに記載のファクシミリ端末。
【請求項１１】
データの階調を調整する調整手段を有し、
該調整手段は、ファクシミリデータとして送信するデータを指定された階調に調整する一方、外部装置に転送する転送データを該外部装置で処理可能な階調に調整することを特徴とする請求項１から１０のいずれかに記載のファクシミリ端末。
【発明の詳細な説明】
【技術分野】
【０００１】
本発明は、ファクシミリ端末に関し、詳しくは、データを蓄積する外部装置にファクシミリデータと同一のデータを転送して該データのバックアップを依頼可能なものに関する。
【背景技術】
【０００２】
従来より、重要であるために保管する文書（画像や文字が表示された文書）や、将来使用する可能性のある文書などの書類は、紙に記録させた状態のままファイルされて書棚等に整理されていた。
近年、データ処理技術の高度化・高速化と共に、データを記憶・蓄積する記憶手段の低価格化に伴って、保管する必要のある文書は、スキャナ装置により読み取らせて大容量記憶装置に蓄積させておく、所謂、ファイルシステムが出現している。
【０００３】
このようなファイル装置は、受信したファクシミリデータにあっては、用紙に記録出力されるので、その用紙を原稿として読み取ってファイリングする一方、送信するファクシミリデータにあっては、送信原稿を別途読みとってファイリングする必要がある。
【発明の開示】
【発明が解決しようとする課題】
【０００４】
しかしながら、このような従来のファイル装置は、いずれにしてもスキャナ装置により原稿を読み取らせる必要があってその作業は煩雑であることから、本発明者は、その作業負担を軽減することを解決課題として、鋭意問題点の抽出およびその研究を行っている。
【０００５】
そのうちの従来のファクシミリデータとして送信する文書データのファイリングでは、ファクシミリ装置において送信原稿の読取処理を行っているにもかかわらず、再度、ファイリングするために読取処理を行っているという不合理な面が存在する。
また、近年には、パーソナルコンピュータ（以下、ＰＣ）などが普及しており、例えば、ＰＣにおいては、アプリケーションプログラムにより作成した文書データを、用紙にプリントアウトすることなく、そのままファクシミリ送信する、所謂、ＰＣｆａｘというアプリケーションプログラムをインストールすることにより、１つのファクシミリ端末として使用することもできるようになってきている。
【０００６】
しかしながら、このＰＣによりファクシミリ送信するファクシミリデータは、ＰＣのハードディスク装置（ＨＤＤ）などの記憶手段内に記憶されているが、ファイル装置に蓄積させるには、そのためのみに、作成した文書データを用紙にプリントアウトしてファイル装置に読取・蓄積させたり、別途、蓄積領域に作成した文書データを移動させる必要があり、上述した従来のファクシミリ装置と同様な解決課題を有していた。なお、この作成文書データは、ＰＣｆａｘによっては自動的にファクシミリ送信後に消去されてしまって、再利用したいときには存在しなくなっている場合もある。
【０００７】
そこで、本発明者は、上述するような解決課題を解消すべく、検討を重ねることによって、送信するファクシミリデータは１度は電子化されているものであることから、そのデータを直接蓄積することができれば、作業負担を軽減することができ、解決課題を解消することができることに至り、本発明をすることができた。
【０００８】
すなわち、本発明は、データを蓄積する外部装置にファクシミリデータと同一のデータを転送することにより、該データのバックアップを依頼可能なファクシミリ端末を提供することを目的とする。
【課題を解決するための手段】
【０００９】
上記目的達成のため、請求項１に記載の発明は、画像または文字の一方あるいは双方からなる文書をファクシミリデータとして通信線を介して相手先にファクシミリ送信するファクシミリ端末であって、データを蓄積する外部装置にデータ送信可能に接続する接続手段と、送信するファクシミリデータと同一のデータを接続装置を介して外部装置に任意のタイミングに転送する転送手段と、を備えることを特徴とするものであり、
請求項２に記載の発明は、請求項１に記載の発明の構成に加え、前記転送データが、原稿から読み取った画像データ、または、文書作成アプリケーションを用いて作成した文書データであることを特徴とするものである。
【００１０】
これら請求項１、２に記載の発明では、例えば、ファクシミリ装置やパーソナルコンピュータなど通信線を介するファクシミリ送信が可能なファクシミリ端末において、送信するファクシミリデータと同一のデータが外部装置に転送される。したがって、ファクシミリ送信操作を行うだけで、送信するデータを外部装置に転送して蓄積させ電子化データとして保存することができる。
【００１１】
ここで、外部装置に転送するデータは、ファクシミリデータと内容を同一とするがその画像品質などは同一（ファクシミリデータ自体）とは限らないので、ファクシミリデータとはいわずに転送データといい、ファクシミリデータとして送信するデータは送信データといって区別して以下を説明する。なお、転送データが送信データと意味する場合もある。
【００１２】
請求項３に記載の発明は、請求項１または２に記載の発明の構成に加え、前記転送手段は、ファクシミリデータに添付されてファクシミリ送信される該ファクシミリデータについての取得情報を、前記転送データに付加して外部装置に転送することを特徴とするものであり、
請求項４に記載の発明は、請求項１から３のいずれかに記載の発明の構成に加え、前記転送手段は、ファクシミリデータをファクシミリ送信する際の通信情報を、前記転送データに付加して外部装置に転送することを特徴とするものである。
【００１３】
これら請求項３、４に記載の発明では、転送データには、ファクシミリデータに添付する、例えば、読取時に取得した原稿サイズなどの取得情報、また、相手先の電話番号などの通信情報が付加されて外部装置に転送される。したがって、外部装置で所望の送信データを取得情報や通信情報により検索することができる。
【００１４】
請求項５に記載の発明は、請求項１から４のいずれかに記載の発明の構成に加え、前記相手先の電話番号を登録する登録手段を有し、前記転送手段は、該登録手段に登録されている相手先に送信するファクシミリデータの転送データを外部装置に転送することを特徴とするものであり、
請求項６に記載の発明は、請求項１から４のいずれかに記載の発明の構成に加え、前記相手先の電話番号を登録する登録手段を有し、前記転送手段は、該登録手段に登録されている相手先以外に送信するファクシミリデータの転送データを外部装置に転送することを特徴とするものである。
【００１５】
これら請求項５、６に記載の発明では、転送データは、ファクシミリ送信する相手先の電話番号が登録されている場合にのみ、あるいは、登録されていない場合にのみ外部装置に転送される。したがって、登録を条件とする場合には、例えば、送信データを保存する必要のある相手先や、頻繁に送信する相手先への送信データを外部装置に蓄積保存させることができる。また、非登録を条件とする場合には、例えば、送信データを保存する必要のない相手先や、保存したくない相手先への送信データが外部装置に蓄積保存されることを回避することができる。このとき、短縮ダイヤル登録などを流用することもできる。
【００１６】
請求項７に記載の発明は、請求項１から６のいずれかに記載の発明の構成に加え、前記転送手段は、外部装置からの転送要求を受け取ったときに、ファクシミリデータの転送データを外部装置に転送することを特徴とするものである。
この請求項７に記載の発明では、転送データは外部装置から要求されたときにその外部装置に転送される。したがって、外部装置を常時起動させておく必要はなく、例えば、外部装置を使用するために起動させたときに送信データの転送要求・蓄積保存動作を行うようにすればよい。
【００１７】
請求項８に記載の発明は、請求項１から７のいずれかに記載の発明の構成に加え、前記相手先にファクシミリ送信するデータを一時記憶するメモリを有し、前記転送手段は、相手先へのファクシミリ送信が完了した後に、メモリ内に記憶した当該データを読み出して転送データを外部装置に転送することを特徴とするものである。
【００１８】
この請求項８に記載の発明では、転送データは、例えば、ファクシミリデータをメモリ送信するためにその送信前に、あるいはそのまま直接送信するのと並行して、備えるメモリ内に一時記憶され、当該ファクシミリ送信の完了後にメモリ内から読み出されて外部装置に転送される。したがって、例えば、通信エラーなどにより送信されていないデータを外部装置に転送することを回避することができ、正常に送信が終了した送信データのみを外部装置に蓄積保存させることができる。
【００１９】
請求項９に記載の発明は、請求項１から８のいずれかに記載の発明の構成に加え、備える圧縮方式によりデータを圧縮変換する変換手段を有し、該変換手段は、ファクシミリデータとして送信するデータを指定された圧縮方式により圧縮変換する一方、外部装置に転送する転送データを該外部装置で復元可能な圧縮方式により圧縮変換することを特徴とするものであり、
請求項１０に記載の発明は、請求項１から９のいずれかに記載の発明の構成に加え、データの解像度を調整する調整手段を有し、該調整手段は、ファクシミリデータとして送信するデータを指定された解像度に調整する一方、外部装置に転送する転送データを該外部装置で処理可能な解像度に調整することを特徴とするものであり、
請求項１１に記載の発明は、請求項１から１０のいずれかに記載の発明の構成に加え、データの階調を調整する調整手段を有し、該調整手段は、ファクシミリデータとして送信するデータを指定された階調に調整する一方、外部装置に転送する転送データを該外部装置で処理可能な階調に調整することを特徴とするものである。
【００２０】
これら請求項９から１１に記載の発明では、送信データを外部装置で処理可能な圧縮方式、解像度、階調の転送データにしてその外部装置に転送される。したがって、ファクシミリ送信を行うための必要条件に制限されないデータのまま、例えば、ファクシミリ送信で使用可能なものよりも圧縮率に優れる圧縮方式により送信データを圧縮して外部装置に転送したり、ファクシミリ通信の規格などにより制限されることのない解像度で、また、階調をファクシミリ送信するために２値画像にしていない送信データを外部装置に転送して蓄積保存させることができる。
【発明の効果】
【００２１】
本発明によれば、ファクシミリ送信する送信データを送信操作を行うだけで外部装置に転送し電子化データとして蓄積保存させることができ、原稿のファイリング作業などを行うことなく、相手先に送信した送信データを確認・再利用することができる。この転送データは、転送命令の入力により、あるいは転送命令などの入力操作を要求することなく、そのまま外部装置にファクシミリ送信と並行して（順次に）送信してもよく、メモリ内に一時記憶しておいて外部装置から要求されたときに送信することにより外部装置の起動に制限を加えないようにすることもでき、また、ファクシミリ送信完了直後または一定時間経過後に送信することにより正常終了したもののみを蓄積保存させるようにして、例えば通信エラーの発生により同一のものを繰り返し蓄積保存して蓄積容量を浪費することを回避することもできる。
【００２２】
その転送データに原稿サイズなどの取得情報や相手先電話番号などの通信情報を付加することにより、外部装置における検索作業を容易にすることができ、蓄積保存する送信データを容易に確認・再利用することができる。
また、送信データの転送を相手先の電話番号の登録の有無に応じて実行または回避することにより、相手先に応じた送信データの必要性によりその蓄積保存を選択することができ、例えば、取引先などように頻繁に送信する相手先への送信データを外部装置に蓄積保存させたり、秘密文書などセキュリティを確保したい場合にその蓄積保存を回避することができる。
【００２３】
さらに、ファクシミリ送信における制限のない任意の圧縮方式、解像度、階調で送信データを外部装置に転送・蓄積保存させることにより、送信データの画像処理負担の軽減、統一的な圧縮方式による蓄積保持、その蓄積容量の低減を実現することができ、また、送信データを高解像度・高階調に記録出力または表示出力することができる。
【発明を実施するための最良の形態】
【００２４】
以下、本発明を図面に基づいて説明する。
図１〜図７は本発明に係るファクシミリ端末の第１実施形態を示す図であり、本実施形態は請求項１〜４、９〜１１に記載の発明に対応する。
図１において、１０は本発明に係るファクシミリ端末を構成するファクシミリ装置であり、ファクシミリ装置１０は、ＣＰＵ（Central Processing Unit）、ＲＯＭ（Read Only Memory）、ＲＡＭ（Random Access Memory）およびＩ／Ｏ（Input／Output）回路等からなるコントローラ部１１に、スキャナ部１２、印字部１３、モデム部１４、インタフェース部１５、画像メモリ部１６および操作パネル部１７等を接続されており、コントローラ部１１は内蔵するＲＯＭ（記憶媒体）内に予め格納した制御プログラムを読み出して装置各部からのセンサ信号や制御信号等に基づいてＲＡＭをワークエリアとして使用しつつ装置各部を統括制御することにより、ファクシミリ装置としてのファクシミリ通信処理を行うとともに、本発明に係る処理を実行するようになっている。
【００２５】
スキャナ部１２は、送信する原稿画像（画像や文字などからなる文書画像）を読み取って画像データ（送信データ）に電子化する。
印字部１３は、受信したファクシミリデータの出力可能に処理した画像データ（受信データ）に基づいて記録媒体によりその画像を用紙に記録出力する。
モデム部１４は、画像データや各種手順信号を変復調し、電話回線に接続され発着信の際に所定の回線制御を実行して回線接続あるいはその切断を行なう不図示の網制御装置を介して、相手先のファクシミリ端末との間でファクシミリデータを送受信するファクシミリ通信を行う。
【００２６】
インタフェース部１５は、例えば、外部装置のＰＣなどに、ＲＳ２３２Ｃ等によりデータを送受可能に接続するシリアルポートとして機能する接続手段を構成しており、コントローラ部１１がＦＡＸモデムとして動作するための制御プログラムを実行して後述する転送制御部（転送手段）１８を構成する場合に、モデム標準のコマンドであるＡＴコマンドを使って通信を行う。なお、標準的なＡＴコマンドを使って通信を行うようにすれば、本装置の設計は容易になる。また、このインタフェース部１５は、ＦＡＸモデムに限らず、各種データを送受することができるものを選択すればよいことはいうまでもない。
【００２７】
画像メモリ部１６は、読取（送信）／受信した画像データを蓄積する。
操作パネル部１７は、駆動条件、装置状態あるいは入力情報などの各種情報を表示するＬＣＤやＬＥＤなどの表示器と共にユーザによる設定や命令等の入力操作を行なうテンキーやファンクションキーなどの各種操作キーを配設されている。
【００２８】
そして、コントローラ部１１は、読取した画像データをファクシミリデータとしてファクシミリ送信可能に、また受信したファクシミリデータを記録出力可能な画像データに変換調整する画像処理部（変換・調整手段）１９を構成しており、画像メモリ部１６内から読み出した画像データを相手先の処理可能なＪＢＩＧ（Joint Bilevel Image Group）、ＭＨ（Modified Huffman）、ＭＲ（Modified Read）、ＭＭＲ（Modified Modified Read）の符号化方式（圧縮方式）のいずれかを選択して符号化しデータ圧縮する一方、受信したファクシミリデータを復号化してデータ伸長する、符号化復号化部として機能するとともに、電話回線を介してファクシミリ送信するために画像メモリ部１６内から読み出した画像データを主走査方向に２０４ｄｐｉ、副走査方向に９６ｄｐｉあるいは１９８ｄｐｉの解像度の２値データに調整する画像処理を行うようになっている。
【００２９】
また、コントローラ部１１は、転送制御部１８として、ファクシミリデータの送信と並行して、画像メモリ部１６内から同一の画像データ（ファクシミリデータと同一内容の送信データ）を読み出してインタフェース部１５を介して外部装置に送信するデータ転送処理を行うようになっており、この外部装置に転送する画像データには、スキャナ部１２が認識してファクシミリデータに添付する原稿サイズや原稿枚数などの読取取得情報、および、その相手先の電話番号や処理日時などの通信情報を付加するとともに、図２〜図４に示すように、ファクシミリ送信処理と同一条件であるかを問わずに、操作パネル部１７で設定（指定）された外部装置で処理可能な画像処理条件でその画像データを処理して外部装置に転送するようになっている。
【００３０】
具体的には、コントローラ部１１は、ユーザの通常のファクシミリ送信操作により通常のファクシミリ送信制御と並行して転送制御部１８として本発明に係る処理を実行するようになっており、例えば図５のフローチャートに示すように、スキャナ部１２に送信原稿をセットして相手先の電話番号を操作パネル部１７から短縮ダイヤル・ワンタッチダイヤルやテンキーにより入力指定した後にスタートキーが押下されると（ステップＰ１）、スキャナ部１２が起動して送信原稿から画像データ（送信データ）を読み取って画像メモリ部１６に記録（記憶）し格納する（ステップＰ２）。
【００３１】
次いで、例えば、図６および図７のＡＴコマンドによる１頁のデータ通信を行うシーケンスに示すように、画像メモリ部１６内の画像データの受信・蓄積要求を外部装置に送出して、その常に起動してＡＴコマンドによる転送要求を監視する外部装置から受入応答があったときに、画像メモリ部１６内からファクシミリ送信する画像データを読み出して外部装置に送信することにより、送信データ（転送データ）の転送処理を行う（ステップＰ３）。
【００３２】
したがって、ユーザがファクシミリ送信操作を行うだけで、そのファクシミリデータと同一の送信データを外部装置に転送して蓄積させることができ、原稿画像を電子化データとして保存することができる。
このとき、コントローラ部１１は、予め操作パネル部１７から設定入力された条件により画像メモリ部１６内から読み出した画像データに画像処理を施した後にその送信データを外部装置に転送データとして転送するようになっており、この画像処理条件はファクシミリ送信を行う際の条件に制限されることなく外部装置との間で実行可能な条件を設定することができ、例えば、図２に示す操作画面を表示してＪＢＩＧ方式を選択設定しておくことにより、ファクシミリ送信時には相手先が備えていない限り利用することができない２値画像圧縮においてＭＭＲ符号化方式よりも圧縮性能に優れるＪＢＩＧ方式により圧縮変換した画像データを転送データとして転送することができ、その指定された圧縮方式は画像データのヘッダ部にコード化して付加すればよい。また、図３に示す操作画面を表示して、スキャナ部１２が備える読取能力に応じて指定できる解像度を設定しておくことにより、ファクシミリ送信時には規格により利用することができない解像度以上（一般的にスキャナ部１２が備える能力）、例えば、主走査方向および副走査方向のいずれも３００ｄｐｉの解像度で読み取った画像データを転送データとして転送することができ、その指定された解像度は画像データのヘッダ部にコード化して付加すればよい。さらに、図４に示す操作画面を表示して、スキャナ部１２が備える読取能力に応じて指定できる階調を設定しておくことにより、ファクシミリ送信時には２値固定であるために利用することができない階調以上、例えば、６４値や２５６値（８ビット）の階調で読み取った画像データを転送データとして転送することができ、その指定された階調は画像データのヘッダ部にコード化して付加すればよい。
【００３３】
したがって、ファクシミリデータと同一の送信データをそのまま外部装置に転送するよりも、常に圧縮率に優れるＪＢＩＧ方式によりデータ圧縮した画像データを転送データとして小さな通信負荷で効率良く送信することができ、ファクシミリデータとするために品質を落としていない読取画像データを転送データとして外部装置に蓄積保存させ、再利用時には外部装置などで高画質に記録出力または表示出力などすることができる。なお、ここで用いるデータの圧縮方式は、ファクシミリ通信で利用可能なＪＢＩＧ、ＭＨ、ＭＲ、ＭＭＲの符号化方式に限るものではなく、例えば、ＪＰＥＧ（Joint Photographic Expert Group）方式により処理した画像データを送信データとして外部装置に転送するようにしてもよいことはいうまでもない。
【００３４】
また、コントローラ部１１の転送制御部１８は、ファクシミリデータと同様に、スキャナ部１２により認識された原稿サイズや原稿枚数の取得情報および相手先の電話番号やファクシミリ送信操作（実効命令）の入力された処理日時を転送データに添付（付加）して外部装置に転送するようになっており、この原稿サイズや電話番号は、例えばＡＴコマンドを用いて外部装置との間で通信制御を行う場合には、ＦＡＸモデム用に拡張されたＡＴコマンドで定義された標準コマンドの“ＡＴ＋ＦＴＳＩ”を用いれば外部装置側に通知することができる。
【００３５】
したがって、外部装置で送信データを再利用するときには、その取得情報や通信情報により該当するデータを絞り込み抽出して特定することができ、所望の送信データを容易に検索することができる。
次いで、コントローラ部１１は、通常のファクシミリ送信制御を行って、画像メモリ部１６内から読み出した画像データに、ファクシミリ通信の規格に従う解像度の２値データにするとともに相手先能力に応じた圧縮率に符号化する画像処理を施した後に、その画像データをファクシミリデータとして電話回線を介して相手先のファクシミリ端末に送信する（ステップＰ４）。
【００３６】
なお、ファクシミリデータと転送データの送出は、本実施形態の順序で行ってもよいが、逆の順序で、また１ラインづつ同時に送信するようにしてもよいことはいうまでもない。
次いで、画像メモリ部１６内の画像データのファクシミリ送信が完了するまで、ファクシミリ送信動作を繰り返し、そのファクシミリ送信が完了した後に、画像メモリ部１６内の画像データを消去して（ステップＰ５）、この処理を終了し待機状態に移行する。
【００３７】
このように本実施形態においては、ファクシミリ送信操作を行うだけでファクシミリデータと内容が同一の電子化した送信データを外部装置に転送・蓄積保存させることができ、原稿のファイリング作業などを行うことなく、ファクシミリ送信した原稿画像の送信データを確認するなど再利用することができる。この転送データ（送信データ）は、ファクシミリ送信するための制限を受けることなく、ファクシミリ装置１０と外部装置とで処理可能な圧縮方式、解像度、階調で画像処理を施した後に転送・蓄積保存させることができ、これによって、転送データの転送処理負担の軽減、統一的な圧縮方式による送信データの蓄積保持、その蓄積容量の低減を実現することができるとともに、高解像度・高階調に送信データを記録・表示出力する再利用を実現することができる。また、この送信データは付加されている原稿サイズや相手先電話番号などの取得情報および通信情報により容易に検索することができる。
【００３８】
次に、図８および図９は本発明に係るファクシミリ端末の第２実施形態を示す図であり、本実施形態は請求項１〜４、８〜１１に記載の発明に対応する。なお、本実施形態は、上述実施形態と略同様に構成されるため、同様な構成には同一の符号を付して図面を流用し特徴部分を説明する。
図１において、コントローラ部１１の転送制御部１８は、ファクシミリデータの送信を開始する前またはその送信が完了した後に、画像メモリ部１６内からファクシミリ送信用の画像データ（送信データ）を読み出してインタフェース部１５を介して外部装置に送信するデータ転送処理を実行するようになっており、このファクシミリデータと同一内容の送信データを外部装置に転送するタイミングは、操作パネル部１７でファクシミリ送信の開始前または完了後を選択設定することができるようになっている。
【００３９】
例えば、操作パネル部１７に図８に示す操作画面を表示してファクシミリ送信の終了（完了）後を選択設定しておいた場合には、図５のフローチャートにおけるステップＰ１、Ｐ２のファクシミリ送信操作および読取画像データの画像メモリ部１６への格納に続けて、通常のファクシミリ送信制御により、画像メモリ部１６内から読み出した画像データに画像処理を施してその画像データをファクシミリデータとして電話回線を介して相手先のファクシミリ端末に送信するようになっており、このファクシミリ送信が完了した後に、例えば、上述実施形態と同様なデータ通信制御により、画像メモリ部１６内から読み出した画像データに画像処理を施すなどして転送データとして外部装置に送信する転送処理を行う。そして、画像メモリ部１６内の画像データの転送処理が終了した後に、画像メモリ部１６内の画像データを消去してこの処理を終了し、待機状態に移行する。
【００４０】
このとき、コントローラ部１１は、１回のダイヤルで相手先のファクシミリ端末に接続することができないこともあるので、画像メモリ部１６内の画像データをファクシミリ送信する際には、図９のフローチャートに示すように、不図示のカウンタをリセットして（ステップＰ１１）ファクシミリ送信を繰り返し行った送信回数を計数することにより（ステップＰ１２）、そのカウンタ内の計数値が予め設定されている指定回数を超えていないが（ステップＰ１３）、回線接続などに失敗してファクシミリ通信不能となったときには（ステップＰ１４）、予め設定されているウェイト時間の間、待機した後に（ステップＰ１５）、ステップＰ１２に戻って同様な処理を繰り返すようになっており、カウンタ内の計数値が指定回数を超えておらず（ステップＰ１３）、回線接続に成功してファクシミリ通信可能となったときには（ステップＰ１４）、画像メモリ部１６内に格納する画像データのファクシミリ送信を行って、その送信の完了に続けて画像データの転送データを外部装置に転送した後に（ステップＰ１６）、その画像メモリ部１６内から画像データを消去してこの処理を終了し（ステップＰ１７）、待機状態に移行する。一方、カウンタ内の計数値が指定回数を超えてもファクシミリ送信が完了しない場合には（ステップＰ１３）、ファクシミリ送信の実行を中止してその旨を操作パネル部１７に表示出力し再操作を促すと共に、ステップＰ１７に進んで、画像メモリ部１６内に格納した未送信・未転送の画像データを消去して、この処理を終了し待機状態に移行する。
【００４１】
したがって、通信エラーなどにより送信されていない画像メモリ部１６内の画像データを外部装置に転送することを回避することができ、正常にファクシミリ送信が完了したファクシミリデータと同一内容の送信データのみを外部装置に転送して蓄積保存させることができる。
このように本実施形態においては、上述実施形態の作用効果に加えて、ファクシミリ送信が正常に完了していない、すなわち、相手先にファクシミリ送信されていない送信データが外部装置に繰り返し蓄積保存されてその蓄積容量を浪費させてしまうことを回避することができる。
【００４２】
なお、本実施形態では、ファクシミリ送信が完了した直後に画像データを画像メモリ部１６内から読み出して転送データとして外部装置に送信する転送処理を行う場合を説明するが、例えば、夜間など予め設定されている時間帯に、ファクシミリ送信の完了した送信データの転送処理をまとめて行うようにしてもよい。この場合には、送信データを外部装置に転送することによる影響を他のデータ通信に与えることなく、その送信データの外部装置への転送処理を行うことができる。
【００４３】
次に、図１０および図１１は本発明に係るファクシミリ端末の第３実施形態を示す図であり、本実施形態は請求項１〜５、９〜１１に記載の発明に対応する。なお、本実施形態は、上述実施形態と略同様に構成されるため、同様な構成には同一の符号を付して図面を流用し特徴部分を説明する。
図１において、コントローラ部１１の転送制御部１８は、操作パネル部１７から短縮ダイヤルやワンタッチダイヤルで選択可能に登録する電話番号以外にも、図１０に示すように、外部装置に送信データを蓄積保存させるファクシミリ送信の相手先の電話番号の１つまたは２つ以上を操作パネル部１７から不図示の不揮発ＲＡＭ（登録手段）内に登録することができるようになっており、ファクシミリ送信する相手先の電話番号がその不揮発ＲＡＭ内に登録されている場合にのみファクシミリデータと同一の画像データを画像メモリ部１６内から読み出して転送データとしてインタフェース部１５を介して外部装置に送信する、データ転送処理を実行するようになっている。
【００４４】
例えば、図１１のフローチャートに示すように、図５のフローチャートにおけるステップＰ１で、スキャナ部１２に送信原稿をセットして相手先の電話番号を操作パネル部１７から短縮ダイヤル・ワンタッチダイヤルやテンキーで入力指定した後に（ステップＰ１−１）、スタートキーが押下されると、ステップＰ２でスキャナ部１２により読み取った画像データを画像メモリ部１６に格納した後に、その電話番号が前記不揮発ＲＡＭ内に登録されているか否か確認し（ステップＰ２１）、登録されている場合にのみステップＰ３を実行して、画像メモリ部１６内からファクシミリ送信する画像データを読み出して外部装置に送信データを送信する転送処理を行ってステップＰ４に進む一方、登録されていない場合には、外部装置への転送処理を行うことなくステップＰ４に進んで、通常のファクシミリ送信制御による画像メモリ部１６内の画像データをファクシミリデータとして相手先のファクシミリ端末に送信し、そのファクシミリ送信が完了した後に、画像メモリ部１６内の画像データを消去して（ステップＰ５）、この処理を終了し待機状態に移行する。
【００４５】
したがって、保存する必要のある相手先の電話番号を予め登録しておくことにより、その相手先へのファクシミリデータと同一の送信データのみを外部装置に転送して蓄積・保存することができる。
このように本実施形態においては、上述実施形態の作用効果に加えて、ファクシミリデータと同一の送信データの蓄積・保存を相手先に応じて選択・実行することができ、例えば、取引先などように頻繁に送信する相手先の電話番号を登録しておくことによりそのファクシミリデータと同一のデータを外部装置に蓄積保存させたり、秘密文書などセキュリティを確保したい相手先の電話番号は登録しておかないことによりその蓄積保存を回避することができる。
【００４６】
なお、本実施形態では、ファクシミリ送信が完了する前に画像データを画像メモリ部１６内から読み出して外部装置に送信する転送処理を行う場合を説明するが、上述実施形態と同様に、ファクシミリ送信が完了した直後や夜間などの予め設定されている時間帯にファクシミリ送信した送信データの転送処理をまとめて行うようにしてもよい（次に説明する実施形態においても同様）。
【００４７】
また、ファクシミリデータと同一の送信データを蓄積・保存する相手先の電話番号を別途、不揮発ＲＡＭ内に登録する場合を説明するが、短縮ダイヤルやワンタッチダイヤルのために登録する相手先の電話番号を流用して、その相手先へのファクシミリデータと同一の送信データを外部装置に転送して蓄積・保存させるようにしてもよい（次に説明する実施形態においても同様）。
【００４８】
次に、図１２および図１３は本発明に係るファクシミリ端末の第４実施形態を示す図であり、本実施形態は請求項１〜４、６、９〜１１に記載の発明に対応する。なお、本実施形態は、上述実施形態と略同様に構成されるため、同様な構成には同一の符号を付して図面を流用し特徴部分を説明する。
図１において、コントローラ部１１の転送制御部１８は、操作パネル部１７から短縮ダイヤルやワンタッチダイヤルで選択可能に登録する電話番号以外にも、図１２に示すように、外部装置に送信データを蓄積保存させることを回避するファクシミリ送信の相手先の電話番号の１つまたは２つ以上を操作パネル部１７から不図示の不揮発ＲＡＭ（登録手段）内に登録することができるようになっており、ファクシミリ送信する相手先の電話番号がその不揮発ＲＡＭ内に登録されていない場合にのみファクシミリデータと同一の画像データを画像メモリ部１６内から読み出してインタフェース部１５を介して外部装置に送信する、データ転送処理を実行するようになっている。
【００４９】
例えば、図１１のフローチャートに示すように、図５のフローチャートにおけるステップＰ１で、スキャナ部１２に送信原稿をセットして相手先の電話番号を操作パネル部１７から短縮ダイヤル・ワンタッチダイヤルやテンキーで入力指定した後に（ステップＰ１−１）、スタートキーが押下されると、ステップＰ２でスキャナ部１２により読み取った画像データを画像メモリ部１６に格納した後に、その電話番号が前記不揮発ＲＡＭ内に登録されているか否か確認し（ステップＰ３１）、登録されていない場合にのみステップＰ３を実行して、画像メモリ部１６内からファクシミリ送信する画像データを読み出して外部装置に送信データを送信する転送処理を行ってステップＰ４に進む一方、登録されている場合には、外部装置への転送処理を行うことなくステップＰ４に進んで、通常のファクシミリ送信制御による画像メモリ部１６内の画像データをファクシミリデータとして相手先のファクシミリ端末に送信し、そのファクシミリ送信が完了した後に、画像メモリ部１６内の画像データを消去して（ステップＰ５）、この処理を終了し待機状態に移行する。
【００５０】
したがって、保存したくない相手先の電話番号を予め登録しておくことにより、その相手先へのファクシミリデータと同一のデータを外部装置に転送して蓄積保存することを回避することができる。
このように本実施形態においては、上述実施形態の作用効果に加えて、ファクシミリデータと同一の送信データの蓄積・保存を相手先に応じて選択・実行することができ、上述第３実施形態とは逆に、例えば、秘密文書などセキュリティを確保したい相手先の電話番号を登録しておくことによりそのファクシミリデータと同一のデータの蓄積保存を回避することができ、取引先などように頻繁に送信する相手先へのファクシミリデータと同一のデータはその電話番号を登録しておくことなく外部装置に蓄積保存させることができる。
【００５１】
次に、図１４は本発明に係るファクシミリ端末の第５実施形態を示す図であり、本実施形態は請求項１〜４、７〜１１に記載の発明に対応する。なお、本実施形態は、上述実施形態と略同様に構成されるため、同様な構成には同一の符号を付して図面を流用し特徴部分を説明する。
図１において、コントローラ部１１の転送制御部１８は、外部装置から転送要求を受け取ったときに、画像メモリ部１６内からファクシミリ送信した同一の画像データを読み出してインタフェース部１５を介して外部装置に送信するデータ転送処理を実行するようになっている。
【００５２】
例えば、操作パネル部１７で外部装置からの転送要求に応答して転送処理を実行することを選択設定しておいた場合には、図５のフローチャートにおけるステップＰ３、Ｐ５を行うことなく、ファクシミリ送信操作がなされてスタートキーの押下されるのに続けて、スキャナ部１２により読み取った画像データを画像メモリ部１６に格納した後に、通常のファクシミリ送信制御を行って、画像メモリ部１６内から画像データを読み出して画像処理を施してファクシミリデータとして電話回線を介して相手先のファクシミリ端末に送信し（ステップＰ１、Ｐ２、Ｐ４）、このファクシミリ送信が完了した後には、そのままこの処理を一旦終了して待機状態に移行する。
【００５３】
そして、図１４のフローチャートに示すように、外部装置からの転送開始要求を常に監視して（ステップＰ４１）、例えば、使用する際に起動する外部装置の手動により、あるいは起動時に実行する送信データの転送プログラムにより、発行された転送要求を受信した場合に、画像メモリ部１６内に格納する画像データの有無を確認して（ステップＰ４２）、格納していない場合にはデータなしを外部装置に通知する（ステップＰ４３）一方、格納している場合には画像メモリ部１６内から画像データ（送信データ）を読み出して外部装置に転送データとして送信する転送処理をまとめて行った後に（ステップＰ４４）、画像メモリ部１６内の画像データを消去して（ステップＰ４５）、この処理を終了し待機状態に移行する。
【００５４】
したがって、外部装置を常時起動させておくことなく、その外部装置を使用するために起動させた後にファクシミリデータと同一のデータの転送要求・蓄積保存動作を行うようにすればよい。
このように本実施形態においては、上述実施形態の作用効果に加えて、外部装置に転送して蓄積保存させるファクシミリデータと同一の画像データは、画像メモリ部１６内に記憶させておき、その外部装置から転送要求があったときに、その転送処理を実行すればよく、その外部装置を常時起動状態にしておかなければならないなどの制限を加えないようにすることができる。
【図面の簡単な説明】
【００５５】
【図１】本発明に係るファクシミリ端末の第１実施形態を示す図であり、その概略全体構成を示すブロック図である。
【図２】その入力操作時の表示面を示す図である。
【図３】その入力操作時の図２と異なる表示面を示す図である。
【図４】その入力操作時の図２、図３と異なる表示面を示す図である。
【図５】その処理を説明するフローチャートである。
【図６】そのデータ通信を説明するシーケンスである。
【図７】そのコマンドを説明する一覧表である。
【図８】本発明に係るファクシミリ端末の第２実施形態を示す図であり、その入力操作時の表示面を示す図である。
【図９】その処理を説明するフローチャートである。
【図１０】本発明に係るファクシミリ端末の第３実施形態を示す図であり、その入力操作時の表示面を示す図である。
【図１１】その処理を説明するフローチャートである。
【図１２】本発明に係るファクシミリ端末の第４実施形態を示す図であり、その入力操作時の表示面を示す図である。
【図１３】その処理を説明するフローチャートである。
【図１４】本発明に係るファクシミリ端末の第５実施形態を示す図であり、その処理を説明するフローチャートである。
【符号の説明】
【００５６】
１０    ファクシミリ装置
１１    コントローラ部
１２    スキャナ部
１３    印字部
１４    モデム部
１５    インタフェース部（接続手段）
１６    画像メモリ部
１７    操作パネル部
１８    転送制御部（転送手段）
１９    画像処理部（変換手段・調整手段）
【図１】
2006211729.tif 000003
【図２】
2006211729.tif 000004
【図３】
2006211729.tif 000005
【図４】
2006211729.tif 000006
【図５】
2006211729.tif 000007
【図６】
2006211729.tif 000008
【図７】
2006211729.tif 000009
【図８】
2006211729.tif 000010
【図９】
2006211729.tif 000011
【図１０】
2006211729.tif 000012
【図１１】
2006211729.tif 000013
【図１２】
2006211729.tif 000014
【図１３】
2006211729.tif 000015
【図１４】
2006211729.tif 000016